(57)【要約】      （修正有）【課題】親機のＶｏＩＰゲートウェイ装置のＬＡＮ回線の障害時に、ＶｏＩＰゲートウェイ装置の多段接続構成のシステム全体のダウンを回避する。また、システム全体として負荷を特定の１台のＶｏＩＰゲートウェイ装置に集中させない。【解決手段】ＶｏＩＰゲートウェイ装置41は、親機機能の場合は、ＷＡＮポート425に入出力されるＩＰパケットをレイヤ２スイッチ418のＷＡＮインターフェースに入出力し、ＬＡＮポート(421-424)に入出力される他の子機のＩＰパケットを、ＬＡＮ経路制御部419の経路切替えにより、レイヤ２スイッチ418のＬＡＮインターフェースに入出力し、子機機能の場合は、ＬＡＮポート(421,422,423or424)に入出力される他の親機のＩＰパケットを、ＬＡＮ経路制御部419の経路切替えにより、レイヤ２スイッチ418のＷＡＮインターフェースに入出力する。【選択図】図４
2015082665.tif 000002
【特許請求の範囲】
【請求項１】
ＷＡＮポートと、ＬＡＮポートと、ＷＡＮインターフェイスとＬＡＮインターフェースとを有するレイヤ２スイッチと、前記ＬＡＮポートと前記レイヤ２スイッチの間に設けられたＬＡＮ経路制御部と、を有し、
親機として機能する場合は、
前記ＷＡＮポートに入出力されるＩＰネットワークに対するＩＰパケットが前記レイヤ２スイッチのＷＡＮインターフェースに入出力され、
前記ＬＡＮポートに入出力される他の子機のＶｏＩＰゲートウェイ装置に対するＩＰパケットが、前記ＬＡＮ経路制御部の経路切替えにより、前記レイヤ２スイッチのＬＡＮインターフェースに入出力され、
子機として機能する場合は、
前記ＬＡＮポートに入出力される他の親機のＶｏＩＰゲートウェイ装置に対するＩＰパケットが、前記ＬＡＮ経路制御部の経路切替えにより、前記レイヤ２スイッチのＷＡＮインターフェースに入出力されるＶｏＩＰゲートウェイ装置。
【請求項２】
更に、前記ＷＡＮポートと前記レイヤ２スイッチの間に設けられたＷＡＮ経路制御部と、ＷＡＮ迂回ポートと、を有し、
親機として機能する場合は、
前記ＷＡＮポートに入出力される前記ＩＰネットワークに対するＩＰパケットが、前記ＷＡＮ経路制御部の経路切替えにより、前記レイヤ２スイッチのＷＡＮインターフェースに入出力され、
子機として機能する場合は、
前記ＷＡＮポートに入出力される前記ＩＰネットワークに対するＩＰパケットが、前記ＷＡＮ経路制御部の経路切替えにより、前記ＷＡＮ迂回ポートに入出力される請求項１に記載のＶｏＩＰゲートウェイ装置。
【請求項３】
更に、音声通信用ポートと、前記音声通信用ポートと前記レイヤ２スイッチの間に設けられた音声／ＩＰ変換部と、を有し、
親機として機能する場合は、
前記レイヤ２スイッチが、前記ＷＡＮインターフェースに入力されたＩＰパケットのうちの一部を前記音声／ＩＰ変換部に転送し、残りを前記ＬＡＮインターフェースに転送し、
前記音声／ＩＰ変換部に転送されたＩＰパケットは、音声信号に変換されて前記音声通信用ポートに出力され、
子機として機能する場合は、
前記レイヤ２スイッチが、前記ＷＡＮインターフェースに入力された全てのＩＰパケットを前記音声／ＩＰ変換部に転送し、
前記音声／ＩＰ変換部に転送されたＩＰパケットは、音声信号に変換されて前記音声通信用ポートに出力される請求項２に記載のＶｏＩＰゲートウェイ装置。
【請求項４】
自装置が親機として機能している場合に、自装置の総通話量及び他の子機のＶｏＩＰゲートウェイ装置の総通話量を監視し、総通話量が最も少ない他の子機のＶｏＩＰゲートウェイ装置に対し親移管の指示を行うと共に、自装置を親機から子機への機能切替えを行うことを特徴とする請求項１〜３の何れかに記載のＶｏＩＰゲートウェイ装置。
【請求項５】
自装置の総通話量が最も少ない場合は、自装置を親機として機能継続することを特徴す請求項４記載のＶｏＩＰゲートウェイ装置。
【請求項６】
ＩＰネットワークと交換機との間に設けられたＮ個(Ｎは２以上の整数)のＶｏＩＰゲートウェイ装置の接続方法であって、
前記Ｎ個のＶｏＩＰゲートウェイ装置の各々が、ＷＡＮポートと、ＷＡＮ迂回ポートと、音声通信用ポートと、Ｎ−１個のＬＡＮポートと、レイヤ２スイッチと、ＷＡＮ経路制御部と、ＬＡＮ経路制御部と、を有し、
１番目のＶｏＩＰゲートウェイ装置のＷＡＮポートは、通信線により前記ＩＰネットワークと接続され、
Ｋ番目(Ｋは２〜Ｎの整数)のＶｏＩＰゲートウェイ装置のＷＡＮポートは、通信線によりＫ−１番目のＶｏＩＰゲートウェイ装置のＷＡＮ迂回ポートと接続され、
前記Ｎ個のＶｏＩＰゲートウェイ装置の各音声通信用ポートは、音声通信線により前記交換機に夫々接続され、
Ｍ番目(Ｍは１〜Ｎの整数)のＶｏＩＰゲートウェイ装置のＮ−１個の各ＬＡＮポートは、通信線によりＭ番目以外のＮ−１個のＶｏＩＰゲートウェイ装置の１つのＬＡＮポートに夫々接続され、
親機とするＭ番目のＶｏＩＰゲートウェイ装置では、
前記ＷＡＮ経路制御部により、前記ＷＡＮポートが前記レイヤ２スイッチのＷＡＮインターフェースに接続され、
前記ＬＡＮ経路制御部により、前記Ｎ−１個のＬＡＮポートの全てが前記レイヤ２スイッチのＬＡＮインターフェースに接続され、
子機とするＭ番目以外のＮ−１個のＶｏＩＰゲートウェイ装置の各々では、
前記ＷＡＮ経路制御部により、前記ＷＡＮポートが前記ＷＡＮ迂回ポートに接続され、
前記ＬＡＮ経路制御部により、前記Ｎ−１個のＬＡＮポートのうちＭ番目のＶｏＩＰゲートウェイ装置のＬＡＮポートと通信線により接続されている１つのＬＡＮポートが前記レイヤ２スイッチのＷＡＮインターフェースに接続され、残りのＮ−２個のＬＡＮポートの全てが前記レイヤ２スイッチのＬＡＮインターフェースに接続されるＶｏＩＰゲートウェイ装置の接続方法。
【請求項７】
親機であるＭ番目のＶｏＩＰゲートウェイ装置は、
自装置の総通話量及び子機であるＭ番目以外のＮ−１個のＶｏＩＰゲートウェイ装置の総通話量を監視し、総通話量が最も少ない他の子機のＶｏＩＰゲートウェイ装置に対し親移管の指示を行うと共に、
前記ＷＡＮ経路制御部により、前記ＷＡＮポートの接続先を前記レイヤ２スイッチのＷＡＮインターフェースから前記ＷＡＮ迂回ポートへ経路切替えし、
前記ＬＡＮ経路制御部により、親移管の指示を受けた子機から親機となるＶｏＩＰゲートウェイ装置のＬＡＮポートと通信線により接続されている１つのＬＡＮポートの接続先を前記レイヤ２スイッチのＬＡＮインターフェースからＷＡＮインターフェースへ経路切替えし、
親移管の指示を受けた子機から親機となるＶｏＩＰゲートウェイ装置は、
前記ＷＡＮ経路制御部により、前記ＷＡＮポートの接続先を前記ＷＡＮ迂回ポートから前記レイヤ２スイッチのＷＡＮインターフェースへ経路切替えし、
前記ＬＡＮ経路制御部により、親機から子機となるＭ番目のＶｏＩＰゲートウェイ装置のＬＡＮポートと通信線により接続されている１つのＬＡＮポートの接続先を前記レイヤ２スイッチのＷＡＮインターフェースからＬＡＮインターフェースへ経路切替えすることを特徴とする請求項６に記載のＶｏＩＰゲートウェイ装置の接続方法。
【請求項８】
親機から子機となるＭ番目のＶｏＩＰゲートウェイ装置及び親移管の指示を受けた子機から親機となるＶｏＩＰゲートウェイ装置以外のＶｏＩＰゲートウェイ装置は、
前記ＬＡＮ経路制御部により、親機から子機となるＭ番目のＶｏＩＰゲートウェイ装置のＬＡＮポートと通信線により接続されている１つのＬＡＮポートの接続先を前記レイヤ２スイッチのＷＡＮインターフェースからＬＡＮインターフェースへ経路切替えし、親移管の指示を受けた子機から親機となるＶｏＩＰゲートウェイ装置のＬＡＮポートと通信線により接続されている１つのＬＡＮポートの接続先を前記レイヤ２スイッチのＬＡＮインターフェースからＷＡＮインターフェースへ経路切替えすることを特徴とする請求項７に記載のＶｏＩＰゲートウェイ装置の接続方法。
【請求項９】
親機であるＭ番目のＶｏＩＰゲートウェイ装置は、
自装置でＬＡＮ障害が発生した場合に、他の子機のＶｏＩＰゲートウェイ装置の何れかに対し親移管の指示を行うことを特徴とする請求項６〜８の何れかに記載のＶｏＩＰゲートウェイ装置の接続方法。
【発明の詳細な説明】
【技術分野】
【０００１】
本発明は、ＩＰ(Internet Protocol)ネットワークと交換機との間に多段接続されるＶｏＩＰ(Voice over Internet Protocol)ゲートウェイ装置及びその接続方法に関する。
【背景技術】
【０００２】
本技術分野の背景技術として、特開２０１２−６５０２２号公報（特許文献１）がある。この公報には、ＩＰネットワーク(網)と交換機との間に複数のＶｏＩＰゲートウェイ装置を設け、その内の１つを親機のＶｏＩＰゲートウェイ装置とし、そのＷＡＮポートをＩＰネットワーク(網)と接続し、残りを子機のＶｏＩＰゲートウェイ装置とし、そのＷＡＮポートを親機のＶｏＩＰゲートウェイ装置のＬＡＮポートに接続し、各ＶｏＩＰゲートウェイ装置の音声通信用ポート(音声Ｉ／Ｆ)を交換機に夫々接続した多段接続構成が記載されている。
【先行技術文献】
【特許文献】
【０００３】
【特許文献１】特開２０１２−６５０２２号公報
【発明の概要】
【発明が解決しようとする課題】
【０００４】
従来のＶｏＩＰゲートウェイ装置の多段接続構成では、例えば、親機のＶｏＩＰゲートウェイ装置のＬＡＮ回線が障害となった場合、子機のＶｏＩＰゲートウェイ装置の全てが使用不可能となってしまっていた。また、親機のＶｏＩＰゲートウェイ装置は、自装置が交換機に対する入出力の音声信号の音声／ＩＰ変換を行なうと共に、ＩＰネットワーク(網)側へデータ(ＩＰパケット)を送りだす際の交換機側及び複数の子機側からのデータ統合と、交換機側及び複数の子機側へのデータ(ＩＰパケット)の振り分けを行なうため、親機のＶｏＩＰゲートウェイ装置に負荷の
偏りが生じていた。
【０００５】
本発明の目的は、親機のＶｏＩＰゲートウェイ装置のＬＡＮ回線の障害時に、ＶｏＩＰゲートウェイ装置の多段接続構成のシステム全体のダウンを回避することにある。
【０００６】
また、本発明の他の目的は、ＶｏＩＰゲートウェイ装置の多段接続構成のシステム全体として負荷を特定の１台のＶｏＩＰゲートウェイ装置に集中させないことにある。
【課題を解決するための手段】
【０００７】
上記課題を解決するために、本発明のＶｏＩＰゲートウェイ装置では、親機から子機へ及び子機から親機へ機能移管が可能な構成とする。具体的構成は以下のとおりである。
【０００８】
請求項１に記載のＶｏＩＰゲートウェイ装置の発明は、ＷＡＮポートと、ＬＡＮポートと、ＷＡＮインターフェイスとＬＡＮインターフェースとを有するレイヤ２スイッチと、ＬＡＮポートとレイヤ２スイッチの間に設けられたＬＡＮ経路制御部とを備え、親機として機能する場合は、ＷＡＮポートに入出力されるＩＰネットワークに対するＩＰパケットをレイヤ２スイッチのＷＡＮインターフェースに入出力し、ＬＡＮポートに入出力される他の子機のＶｏＩＰゲートウェイ装置に対するＩＰパケットを、ＬＡＮ経路制御部の経路切替えにより、レイヤ２スイッチのＬＡＮインターフェースに入出力し、子機として機能する場合は、ＬＡＮポートに入出力される他の親機のＶｏＩＰゲートウェイ装置に対するＩＰパケットを、ＬＡＮ経路制御部の経路切替えにより、レイヤ２スイッチのＷＡＮインターフェースに入出力する。
【０００９】
請求項２に記載のＶｏＩＰゲートウェイ装置の発明は、更に、ＷＡＮポートとレイヤ２スイッチの間に設けられたＷＡＮ経路制御部と、ＷＡＮ迂回ポートとを備え、親機として機能する場合は、ＷＡＮポートに入出力されるＩＰネットワークに対するＩＰパケットを、ＷＡＮ経路制御部の経路切替えにより、レイヤ２スイッチのＷＡＮインターフェースに入出力し、子機として機能する場合は、ＷＡＮポートに入出力されるＩＰネットワークに対するＩＰパケットを、ＷＡＮ経路制御部の経路切替えにより、前記ＷＡＮ迂回ポートに入出力する。
【００１０】
請求項３に記載のＶｏＩＰゲートウェイ装置の発明は、更に、音声通信用ポートと、音声通信用ポートとレイヤ２スイッチの間に設けられた音声／ＩＰ変換部とを備え、親機として機能する場合は、レイヤ２スイッチが、ＷＡＮインターフェースに入力されたＩＰパケットのうちの一部を音声／ＩＰ変換部に転送し、残りをＬＡＮインターフェースに転送し、音声／ＩＰ変換部に転送されたＩＰパケットを、音声信号に変換して音声通信用ポートに出力し、子機として機能する場合は、レイヤ２スイッチが、ＷＡＮインターフェースに入力された全てのＩＰパケットを音声／ＩＰ変換部に転送し、音声／ＩＰ変換部に転送されたＩＰパケットを、音声信号に変換して音声通信用ポートに出力する。
【００１１】
請求項４に記載のＶｏＩＰゲートウェイ装置の発明は、更に、自装置が親機として機能している場合に、自装置の総通話量及び他の子機のＶｏＩＰゲートウェイ装置の総通話量を監視し、総通話量が最も少ない他の子機のＶｏＩＰゲートウェイ装置に対し親移管の指示を行うと共に、自装置を親機から子機への機能切替えを行う。
【００１２】
請求項５に記載のＶｏＩＰゲートウェイ装置の発明は、更に、自装置の総通話量が最も少ない場合は、自装置を親機として機能継続する。
【００１３】
請求項６に記載のＩＰネットワークと交換機との間に設けられたＮ個(Ｎは２以上の整数)のＶｏＩＰゲートウェイ装置の接続方法の発明は、Ｎ個のＶｏＩＰゲートウェイ装置の各々が、ＷＡＮポートと、ＷＡＮ迂回ポートと、音声通信用ポートと、Ｎ−１個のＬＡＮポートと、レイヤ２スイッチと、ＷＡＮ経路制御部と、ＬＡＮ経路制御部とを備え、１番目のＶｏＩＰゲートウェイ装置のＷＡＮポートを、通信線によりＩＰネットワークと接続し、Ｋ番目(Ｋは２〜Ｎの整数)のＶｏＩＰゲートウェイ装置のＷＡＮポートを、通信線によりＫ−１番目のＶｏＩＰゲートウェイ装置のＷＡＮ迂回ポートと接続し、Ｎ個のＶｏＩＰゲートウェイ装置の各音声通信用ポートを、音声通信線により交換機に夫々接続し、Ｍ番目(Ｍは１〜Ｎの整数)のＶｏＩＰゲートウェイ装置のＮ−１個の各ＬＡＮポートを、通信線によりＭ番目以外のＮ−１個のＶｏＩＰゲートウェイ装置の１つのＬＡＮポートに夫々接続し、親機とするＭ番目のＶｏＩＰゲートウェイ装置では、ＷＡＮ経路制御部により、ＷＡＮポートをレイヤ２スイッチのＷＡＮインターフェースに接続し、ＬＡＮ経路制御部により、Ｎ−１個のＬＡＮポートの全てをレイヤ２スイッチのＬＡＮインターフェースに接続し、子機とするＭ番目以外のＮ−１個のＶｏＩＰゲートウェイ装置の各々では、ＷＡＮ経路制御部により、ＷＡＮポートをＷＡＮ迂回ポートに接続し、ＬＡＮ経路制御部により、Ｎ−１個のＬＡＮポートのうちＭ番目のＶｏＩＰゲートウェイ装置のＬＡＮポートと通信線により接続されている１つのＬＡＮポートをレイヤ２スイッチのＷＡＮインターフェースに接続し、残りのＮ−２個のＬＡＮポートの全てをレイヤ２スイッチのＬＡＮインターフェースに接続する。
【００１４】
請求項７に記載のＩＰネットワークと交換機との間に設けられたＮ個(Ｎは２以上の整数)のＶｏＩＰゲートウェイ装置の接続方法の発明は、更に、親機であるＭ番目のＶｏＩＰゲートウェイ装置は、自装置の総通話量及び子機であるＭ番目以外のＮ−１個のＶｏＩＰゲートウェイ装置の総通話量を監視し、総通話量が最も少ない他の子機のＶｏＩＰゲートウェイ装置に対し親移管の指示を行うと共に、ＷＡＮ経路制御部により、ＷＡＮポートの接続先をレイヤ２スイッチのＷＡＮインターフェースからＷＡＮ迂回ポートへ経路切替えし、ＬＡＮ経路制御部により、親移管の指示を受けた子機から親機となるＶｏＩＰゲートウェイ装置のＬＡＮポートと通信線により接続されている１つのＬＡＮポートの接続先をレイヤ２スイッチのＬＡＮインターフェースからＷＡＮインターフェースへ経路切替えし、親移管の指示を受けた子機から親機となるＶｏＩＰゲートウェイ装置は、ＷＡＮ経路制御部により、ＷＡＮポートの接続先をＷＡＮ迂回ポートからレイヤ２スイッチのＷＡＮインターフェースへ経路切替えし、ＬＡＮ経路制御部により、親機から子機となるＭ番目のＶｏＩＰゲートウェイ装置のＬＡＮポートと通信線により接続されている１つのＬＡＮポートの接続先をレイヤ２スイッチのＷＡＮインターフェースからＬＡＮインターフェースへ経路切替えする。
【００１５】
請求項８に記載のＩＰネットワークと交換機との間に設けられたＮ個(Ｎは２以上の整数)のＶｏＩＰゲートウェイ装置の接続方法の発明は、更に、親機から子機となるＭ番目のＶｏＩＰゲートウェイ装置及び親移管の指示を受けた子機から親機となるＶｏＩＰゲートウェイ装置以外のＶｏＩＰゲートウェイ装置は、ＬＡＮ経路制御部により、親機から子機となるＭ番目のＶｏＩＰゲートウェイ装置のＬＡＮポートと通信線により接続されている１つのＬＡＮポートの接続先をレイヤ２スイッチのＷＡＮインターフェースからＬＡＮインターフェースへ経路切替えし、親移管の指示を受けた子機から親機となるＶｏＩＰゲートウェイ装置のＬＡＮポートと通信線により接続されている１つのＬＡＮポートの接続先をレイヤ２スイッチのＬＡＮインターフェースからＷＡＮインターフェースへ経路切替えする。
【００１６】
請求項９に記載のＩＰネットワークと交換機との間に設けられたＮ個(Ｎは２以上の整数)のＶｏＩＰゲートウェイ装置の接続方法の発明は、更に、親機であるＭ番目のＶｏＩＰゲートウェイ装置は、自装置でＬＡＮ障害が発生した場合に、他の子機のＶｏＩＰゲートウェイ装置の何れかに対し親移管の指示を行う。
【発明の効果】
【００１７】
本発明によれば、ＶｏＩＰゲートウェイ装置の多段接続構成において、親機の機能を特定の１台のＶｏＩＰゲートウェイ装置に固定せずに子機であった他のＶｏＩＰゲートウェイ装置に移管することができ、親機のＶｏＩＰゲートウェイ装置のＬＡＮ障害時に、ＶｏＩＰゲートウェイ装置の多段接続構成のシステム全体のダウンを回避することができ、また、多段接続構成の夫々のＶｏＩＰゲートウェイ装置の負荷状況に応じて親機の機能を移管させることで、システム全体として負荷を特定の１台のＶｏＩＰゲートウェイ装置に集中させない運用が可能となる。
【図面の簡単な説明】
【００１８】
【図１】ＶｏＩＰゲートウェイ装置の多段接続のシステム構成図である。
【図２】１番目のＶｏＩＰゲートウェイ装置(22)が親機である場合の信号経路を表す図である。
【図３】２番目のＶｏＩＰゲートウェイ装置(33)が親機である場合の信号経路を表す図である。
【図４】ＶｏＩＰゲートウェイ装置の内部ブロック図である。
【図５】図４におけるレイヤ２スイッチ，ＬＡＮ経路制御部及びＷＡＮ経路制御部の詳細図である。
【図６】図５におけるＬＡＮ経路制御部及びＷＡＮ経路制御部のルート制御テーブルである。
【図７】総通話量テーブル更新のシーケンスである。
【図８】親機のＶｏＩＰゲートウェイ装置のＬＡＮ障害時における親機の機能を移管するシーケンスである。
【図９】各ＶｏＩＰゲートウェイ装置の総通話量に応じて親機の機能を移管するシーケンスである。
【発明を実施するための形態】
【実施例】
【００１９】
図１は、ＩＰネットワークと交換機との間に複数（Ｎ個、Ｎは２以上の整数）のＶｏＩＰゲートウェイ装置を設け、親機と子機とを多段接続構成としたシステム構成図である。本図では、ＶｏＩＰゲートウェイ装置（以下ではゲートウェイと略記する）を５台用いた構成例(Ｎ＝５の場合)を示す。ここで、Ｎ個（５台）の各ゲートウェイは、少なくともＮ−１個（４つ）のＬＡＮポートを持つものとする。
【００２０】
図１に示すシステム構成において、ＩＰネットワーク（網）(11)と１番目のゲートウェイ(12)がＷＡＮ回線(W1)により接続されている。Ｋ番目(Ｋは２，３・・・，Ｎ)の各ゲートウェイ(13, 14, 15, 16)は、前段に向けた各通信線(W2, W3, W4, W5)によりＫ−１番目のゲートウェイ(12, 13, 14, 15)と夫々接続されている。ＷＡＮ回線(W1)及び通信線(W2, W3, W4, W5)は、どれもがＩＰネットワーク（網）(11)に対する信号（ＩＰパケット）を送受信するＷＡＮ側の回線となり、詳細は後述とするが、親機の機能を受け持つゲートウェイはＷＡＮ側の回線を自装置のレイヤ２スイッチに接続するが、子機の機能を受け持つゲートウェイはＷＡＮ側の回線を自装置のレイヤ２スイッチに接続せず、下位のゲートウェイに中継を行なう。例えば、５番目のゲートウェイ(16)を親機として動作させる場合、１番目のゲートウェイ(12)は前段に向けた通信線(W1)の信号（ＩＰパケット）を自装置内にに取り込まず、後段に向けた通信線(W2)へ中継する。同様に、２〜４番目の各ゲートウェイ(13, 14, 15)も前段に向けた各通信線(W2, W3, W4)の信号（ＩＰパケット）を自装置内に取り込まず、後段に向けた各通信線(W2, W3, W4)へ夫々中継する。５番目のゲートウェイ(16)は、通信線(W5)をＩＰネットワーク（網）(11)と接続されている線として、通信線(W5)の信号（ＩＰパケット）を自装置内に取り込み、親機としてＩＰネットワーク（網）(11)と接続された状態となる。
【００２１】
Ｎ個（５台）の各ゲートウェイは、Ｎ−１個（４つ）の各ＬＡＮポートに接続されたＮ−１本（４本）の通信線（ＬＡＮ側の回線）によって、自装置以外のＮ−１個（４台）のゲートウェイと接続されている。図１に示したシステム構成では、１０本の通信線（ＬＡＮ側の回線）(L1〜L10)が、５台のゲートウェイのＬＡＮポートが相互接続を行っており、親機と子機との間の信号(ＩＰパケット)の送受信を行なう。例えば、５番目のゲートウェイ(16)を親機として動作させる場合、他の子機として動作させる１〜４番目のゲートウェイ(12〜15)との相互接続をしている４本の通信線（ＬＡＮ側の回線）(L4, L7, L9, L10)のみ親機−子機間の信号(ＩＰパケット)の送受信に用いられる。子機動作中の１〜４番目のゲートウェイ(12〜15)は、自装置で音声／ＩＰ変換を行なったＩＰ通話データ（ＩＰパケット）を親機と相互接続している通信線（ＬＡＮ側の回線）(L4, L7, L9, L10)を通して、５番目のゲートウェイ(16)と通信を行なう。親機動作中の５番目のゲートウェイ(16)は、自装置で音声／ＩＰ変換を行なったＩＰ通話データ（ＩＰパケット）と子機動作中の１〜４番目のゲートウェイ(12〜15)から受信した各ＩＰ通話データ（ＩＰパケット）を統合し、ＩＰネットワーク（網）(11)側へとデータ（ＩＰパケット）を送信する。
【００２２】
５番目のゲートウェイ(16)を親機として動作させた場合に使用されていない６本の通信線（ＬＡＮ側の回線）(L1〜L3, L5, L6, L8)は、他の子機として動作している１〜４番目のゲートウェイの何れかに親機の機能を移管した場合に使用されるため、親機動作中のゲートウェイが現在どれであっても、普段から相互接続されていることが必要である。
【００２３】
また、子機動作中の１〜４番目のゲートウェイ(12〜15)では、親機動作中の５番目のゲートウェイ(16)と相互接続されているＬＡＮポートがレイヤ２スイッチのＷＡＮインターフェースと接続されるよう自装置内部で接続経路制御される。これは、上述した従来技術において、親機のゲートウェイのＬＡＮポートを子機のゲートウェイのＷＡＮポートへ接続することによって親機−子機間の信号(ＩＰパケット)を子機のゲートウェイのレイヤ２スイッチのＷＡＮインターフェースに導いているのに対し、本発明では、親機のゲートウェイのＬＡＮポートと相互接続された子機のゲートウェイのＬＡＮポートの接続先を自装置内部で経路制御すること従来同様の親機−子機間の信号(ＩＰパケット)の流路を確保していると同時に、親機−子機間の機能移管を可能ならしめている。例えば、５番目のゲートウェイ(16)を親機として動作させる場合、子機となる４番目のゲートウェイ(15)において、親機−子機間のデータ(ＩＰパケット)の送受信で使用するＬＡＮ側の回線は通信線(L10)であり、子機となる４番目のゲートウェイ(15)内部では、上述した従来技術で通信線(L10)がＷＡＮポートに接続したの同様にレイヤ２スイッチのＷＡＮインターフェースへ導かれるよう通信線(L10)が接続されたＬＡＮポートの内部接続先を経路制御する。
【００２４】
このように、本発明のゲートウェイでは自装置が親機であるかどうか、子機であれば親機のＬＡＮポートと接続されている自装置のＬＡＮポートがどであるか、によってその接続先経路を制御し、親機−子機間の機能を移管することを実現可能としている。制御の詳細については後述する。
【００２５】
Ｎ個（５台）の各ゲートウェイ(12〜16)は、データ（音声信号）の送受信を行なう音声通信線(V1〜V5) により交換機(17)と接続されている。交換機(17)の配下にある電話機(18)から通話が発信された場合、交換機(17)が何れかのゲートウェイに音声通話データ（音声信号）を送信し、データ（音声信号）を受信したゲートウェイは音声／ＩＰ変換を行ない、自装置が子機の場合は親機のゲートウェイへ変換したＩＰ通話データ（ＩＰパケット）を送信し、自装置が親機の場合は変換したＩＰ通話データ(ＩＰパケット)を子機のゲートウェイから受信したＩＰ通話データ(ＩＰパケット)と統合してＩＰネットワーク（網）(11)側へ送信する。
【００２６】
図２はゲートウェイを３台用いた場合(Ｎ＝３の場合)で、１番目のゲートウェイ(22)を親機としたときのＩＰネットワーク（網）−親機間及び親機−子機間の信号経路を表す図である。図２では、各ゲートウェイにおいて親機と子機の通信に直接関わるブロックのみを記載をしている。ゲートウェイの全体機能ブロック図は、後述の図４にて説明を行なう。
【００２７】
図２の構成は、１番目のゲーウェイ(22)が親機であり、２，３番目のゲートウェイ(23, 24)が子機である。それぞれのゲートウェイ(22, 23, 24)の内部構造は同一であり、ゲートウェイ外部への通信用インターフェースとしてＷＡＮポート(221, 231, 241)と、ＷＡＮ迂回ポート(222, 232, 242)と、ＬＡＮポート１−４(226-229, 236-239, 246-249)を持つ。各ゲートウェイ(22, 23, 24)内部には、ＷＡＮ経路制御部(223, 233, 243)と、ＬＡＮ経路制御部(225, 235, 245)と、ＬＡＮ信号とＷＡＮ信号のスイッチングを行なうレイヤ２スイッチ(224, 234, 244)を持ち、さらに、各レイヤ２スイッチ(224, 234, 244)は、ＷＡＮ信号のインターフェースとしてのＳＷＷＡＮ（ＷＡＮインターフェース）(2241, 2341, 2441)を、ＬＡＮ信号のインターフェースとしてＳＷＬＡＮ１−４（ＬＡＮインターフェース）(2242-2245, 2342-2345, 2442-2445)を持つ（レイヤ２スイッチのインターフェースを指示しやすくするための仮称として、レイヤ２スイッチのＷＡＮインターフェースをＳＷＷＡＮと、ＬＡＮインターフェースをＳＷＬＡＮと図中記述している）。１番目のゲートウェイ(22)のＷＡＮポート(221)はＩＰネットワーク（網）(21)と通信線(W21)で接続され、１番目のゲートウェイ(22)のＷＡＮ迂回ポート(222)は２番目のゲートウェイ(23)のＷＡＮポート(231)と通信線(W22)で接続され、２番目のゲートウェイ(23)のＷＡＮ迂回ポート(232)は３番目のゲートウェイ(24)のＷＡＮポート(241)と通信線(W23)で接続される。１番目ゲートウェイ(22)のＬＡＮポート１(226)は２番目のゲートウェイ(23)のＬＡＮポート１(236)と通信線(L21)で接続され、２番目のゲートウェイ(23)のＬＡＮポート２(237)は３番目のゲートウェイ(24)のＬＡＮポート１(246)と通信線(L22)で接続され、１番目のゲートウェイ(22)のＬＡＮポート２(227)は３番目のゲートウェイ(24)のＬＡＮポート２(247)と通信線(L23)で接続される。
【００２８】
はじめに、ＩＰネットワーク（網）(21)と親機である１番目のゲートウェイ(22)のレイヤ２スイッチ(224)のＷＡＮインターフェース（ＳＷＷＡＮ）(2241)間の信号経路を説明する。ＩＰネットワーク（網）(21)は、通信線(W21)を介してＷＡＮポート(221)を経由し、ＷＡＮ経路制御部(223)の経路制御によりＳＷＷＡＮ(2241)と接続される。
【００２９】
次に、親機である１番目のゲートウェイ(22)のレイヤ２スイッチ(224)のＬＡＮインターフェース（ＳＷＬＡＮ１）(2242)と子機である２番目のゲートウェイ(23)のレイヤ２スイッチ(234)のＷＡＮインターフェース（ＳＷＷＡＮ）(2341)間の信号経路を説明する。親機である１番目のゲートウェイ(22)のＬＡＮ経路制御部(225)は、ＬＡＮポート１(226)とＳＷＬＡＮ１(2242)を接続する。子機である２番目のゲートウェイ(23)のＬＡＮ経路制御部(235)は、ＬＡＮポート１(236)とＳＷＷＡＮ(2341)を接続する。親機である１番目のゲートウェイ(22)と子機である２番目のゲートウェイ(23)は、互いのＬＡＮポート１(226, 236)を接続する通信線(L21)を介してＩＰ通話データ（ＩＰパケット）の送受信を行なう。
【００３０】
親機である１番目のゲートウェイ(22)のレイヤ２スイッチ(224)のＬＡＮインターフェース（ＳＷＬＡＮ２）(2243)と子機である３番目のゲートウェイ(24)のレイヤ２スイッチ(244)のＷＡＮインターフェース（ＳＷＷＡＮ）(2441)間の信号経路については、図２に示すとおり、対応させる親機のレイヤ２スイッチのＬＡＮインターフェース，ＬＡＮポート，通信線，子機のＬＡＮポートを変えているのみでその他は２番目のゲートウェイを子機とした場合と同様であるので、その説明は省略する。
【００３１】
図３は、図２と同様にゲートウェイを３台用いた場合(Ｎ＝３の場合)で、２番目のゲートウェイ(33)を親機としたときのＩＰネットワーク（網）−親機間及び親機−子機間の信号経路を表した図である。
【００３２】
図３の構成は、２番目のゲーウェイ(33)が親機，１，３番目のゲートウェイ(32, 34)が子機とした点が図２と異なり、その他の各ゲートウェイの内部構造，通信線の接続状態等は図２と同一である。
【００３３】
はじめに、ＩＰネットワーク（網）(31)と親機である２番目のゲートウェイ(33)のレイヤ２スイッチ(334)のＷＡＮインターフェース（ＳＷＷＡＮ）(3341)間の信号経路を説明する。ＩＰネットワーク（網）(31)は、通信線(W31)を介して子機である１番目のゲートウェイ(32)のＷＡＮポート(321)を経由し、ＷＡＮ経路制御部(323)の経路制御によりＷＡＮ迂回ポート(322)と接続される。ＷＡＮ迂回ポート(322)は、通信線(W32)を介して親機である２番目のゲートウェイ(33)のＷＡＮポート(331)を経由し、ＷＡＮ経路制御部(3333)の経路制御によりＳＷＷＡＮ(3341)と接続される。
【００３４】
次に、親機である２番目のゲートウェイ(33)のレイヤ２スイッチ(334)のＬＡＮインターフェース（ＳＷＬＡＮ１）(3342)と子機である１番目のゲートウェイ(32)のレイヤ２スイッチ(324)のＷＡＮインターフェース（ＳＷＷＡＮ）(3241)間の信号経路を説明する。親機である２番目のゲートウェイ(33)のＬＡＮ経路制御部(335)は、ＬＡＮポート１(336)ＳＷＬＡＮ１(3342)を接続する。子機である１番目のゲートウェイ(32)のＬＡＮ経路制御部(325)は、ＬＡＮポート１(326)とＳＷＷＡＮ(3241)を接続する。親機である２番目のゲートウェイ(33)と子機である１番目のゲートウェイ(32)は、互いのＬＡＮポート１(336, 326)を接続する通信線(L31)を介してＩＰ通話データ（ＩＰパケット）の送受信を行なう。
【００３５】
親機である２番目のゲートウェイ(33)のレイヤ２スイッチ(334)のＬＡＮインターフェース（ＳＷＬＡＮ２）(3343)と子機である３番目のゲートウェイ(34)のレイヤ２スイッチ(344)のＷＡＮインターフェース（ＳＷＷＡＮ）(3441)間の信号経路については、図３に示すとおり、対応させる親機のレイヤ２スイッチのＬＡＮインターフェース，ＬＡＮポート，通信線，子機のＬＡＮポートを変えているのみでその他は１番目のゲートウェイを子機とした場合と同様であるので、その説明は省略する。
【００３６】
図４は、本発明のゲートウェイの内部機能をブロック毎に図示したものである。ゲートウェイ(41)の電源スイッチ(411)がＯＮされると、電源制御回路(412)に電源が供給され、各ブロックに電源が供給される。通信経路制御部(413)は、ＬＡＮ経路制御部(419)とＷＡＮ経路制御部(420)の接続先の制御を行なう。中央処理装置(414)はゲートウェイ(41)のメインとなるＣＰＵであり、記憶部(415)，音声／ＩＰ変換部(416)，レイヤ２スイッチ(418)との信号の送受信を制御する。記憶部(415)はブート情報，構成情報，障害情報，各種ログ情報を保持し、必要に応じて中央処理装置(414)からの命令により読み書きされる。後述となるが、記憶部(415)は本発明の各ゲートウェイの各総通話量のデータを持ち、親機の機能を移管する際、記憶部(415)のデータを参照する。音声／ＩＰ変換部(416)はＶｏＩＰゲートウェイ装置のメイン機能である音声信号をＩＰパケットに変換する機能を持つ。音声／ＩＰ変換部(416)で変換された信号は、中央処理装置(414)の命令によって、レイヤ２スイッチ(418)を通してＩＰネットワーク（網）側へ、または、音声通信用ポート(417)を通して交換機側へ、と送信される。音声通信用ポート(417)は、外部の交換機とのインターフェースである。レイヤ２スイッチ(418)は、ＬＡＮ回線の信号とＷＡＮ回線の信号のスイッチングを行なうための、ＬＡＮインターフェース（ＳＷＬＡＮ）とＷＡＮインターフェース（ＳＷＷＡＮ）を持つ。ＬＡＮ経路制御部(419)は、ＬＡＮポート１−４(421−424)を、レイヤ２スイッチ(418)のＬＡＮインターフェース（ＳＷＬＡＮ）もしくはＷＡＮインターフェース（ＳＷＷＡＮ）のどちらかに接続を行なう。ＷＡＮ経路制御部(420)は、ＷＡＮポート(425)を、レイヤ２スイッチ(418)のＷＡＮインターフェース（ＳＷＷＡＮ）もしくはＷＡＮ迂回ポート(426)のどちらかに接続を行なう。ＬＡＮポート１−４(421−424)は、ＬＡＮ回線のインターフェースである。ＷＡＮポート(425)は、ＷＡＮ回線のインターフェースである。ＷＡＮ迂回ポート(426)は、ゲートウェイ(41)が子機として機能する際、ＷＡＮポート(425)の回線を後段のゲートウェイへ中継するためのポートである。
【００３７】
通信経路制御部(413)，レイヤ２スイッチ(418)，ＬＡＮ経路制御部(419)，ＷＡＮ経路制御部(420)，ＬＡＮポート１−４(421-424)，ＷＡＮポート(425)，ＷＡＮ迂回ポート(426)について、図５及び図６を用いて通信経路パターンの詳細説明を行なう。
【００３８】
図５は、通信経路制御部(501)，レイヤ２スイッチ(502)，ＬＡＮ経路制御部(503)，ＷＡＮ経路制御部(504)の拡大図である。通信経路制御部(501)は、ＬＡＮ経路制御部(503)内部にある経路制御スイッチ(5031-5034)とＷＡＮ経路制御部(504)内部にある経路制御スイッチ(5041)の制御を行なう。レイヤ２スイッチ(502)は、４つのＬＡＮポート１−４(421−424)と各々対応付けられた４つのＬＡＮインターフェース（ＳＷＬＡＮ１−４）(5021-5024)とＷＡＮインターフェース（ＳＷＷＡＮ）(5025)を持ち、ＬＡＮ回線側のデータとＷＡＮ回線側のデータのスイッチングを行なう。ＬＡＮ経路制御部(503)は、その内部に、４つのＬＡＮポート１−４(421−424)と各々対応付けられた４つの経路制御スイッチ(5031-5034)を持つ。各経路制御スイッチ(5031-5034)は、対応するＬＡＮポート１−４(505-508)の接続先を、レイヤ２スイッチ(502)の対応するＬＡＮインターフェース（ＳＷＬＡＮ１−４）(5021-5024)もしくはＷＡＮインターフェース（ＳＷＷＡＮ）(5025)のどちらかの経路と接続する。経路制御スイッチ(5031-5034)を制御する通信経路制御部(501)からの信号は４つある経路制御スイッチ(5031-5034)をそれぞれ個別に制御する。なお、図６を用いて後述するが、親機として機能させるゲートウェイにおいては、複数のＬＡＮポートの全てが夫々対応付けられたレイヤ２スイッチのＬＡＮインターフェースに接続されるように複数の経路制御スイッチが制御される。また、子機として機能させるゲートウェイにおいては、他の親機のゲートウェイのＬＡＮポートと通信線により相互接続されているＬＡＮポートのみがレイヤ２スイッチのＷＡＮインターフェースに接続されるように対応する経路制御スイッチが制御される。ＷＡＮ経路制御部(504)は、その内部に経路制御スイッチ(5041)を持つ。経路制御スイッチ(5041)は、ＷＡＮポート(509)の接続先を、レイヤ２スイッチ(502)のＷＡＮインターフェース（ＳＷＷＡＮ）(5025)もしくはＷＡＮ迂回ポート(510)のどちらかの経路と接続する。
【００３９】
図６は、複数の各ゲートウェイの状態別によるＬＡＮ経路制御部(503)及びＷＡＮ経路制御部(504)のルート制御テーブルである。本テーブルは、図１に示した構成例のようにゲートウェイを５台用いたときのものである。
【００４０】
自装置が親機である場合、通信経路制御部(501)より制御信号を発信し、ＬＡＮ経路制御部(503)の経路制御スイッチ（５０３１−５０３４）にてＬＡＮポート１−４(505-508)はレイヤ２スイッチ(502)の対応するＬＡＮインターフェース（ＳＷＬＡＮ１−４）(5021-5024)に夫々接続され、ＷＡＮ経路制御部(504)の経路制御スイッチ(5041)にてＷＡＮポート(509)はレイヤ２スイッチ(502)のＷＡＮインターフェース（ＳＷＷＡＮ）(5025)に接続される。
【００４１】
自装置が子機でＬＡＮポート１(505)の接続先が親機である場合（パターン１）、通信経路制御部(501)より制御信号を発信し、ＬＡＮ経路制御部(503)の経路制御スイッチ(5031)にてＬＡＮポート１(505)の接続先がレイヤ２スイッチ(502)のＷＡＮインターフェース（ＳＷＷＡＮ）(5025)に接続され、他のＬＡＮポート２−４(506, 507, 508)はレイヤ２スイッチ(502)の対応するＬＡＮインターフェース（ＳＷＬＡＮ２−４）(5022, 5023, 5024)に接続される。また、ＷＡＮ経路制御部(504)の経路制御スイッチ(5041)にてＷＡＮポート(509)の接続先はＷＡＮ迂回ポート(510)に接続される。
【００４２】
自装置が子機でＬＡＮポート２(506)の接続先が親機である場合（パターン２）、通信経路制御部(501)より制御信号を発信し、ＬＡＮ経路制御部(503)の経路制御スイッチ(5032)にてＬＡＮポート２(506)の接続先がレイヤ２スイッチ(502)のＷＡＮインターフェース（ＳＷＷＡＮ）(5025)に接続され、他のＬＡＮポート１，３，４(505, 507, 508)はレイヤ２スイッチ(502)の対応するＬＡＮインターフェース（ＳＷＬＡＮ１，３，４）(5021, 5023, 5024)に接続される。また、ＷＡＮ経路制御部(504)の経路制御スイッチ(5041)にてＷＡＮポート(509)の接続先はＷＡＮ迂回ポート(510)に接続される。
【００４３】
自装置が子機でＬＡＮポート３(507)の接続先が親機である場合（パターン３）、通信経路制御部(501)より制御信号を発信し、ＬＡＮ経路制御部(503)の経路制御スイッチ(5033)にてＬＡＮポート３(507)の接続先がレイヤ２スイッチ(502)のＷＡＮインターフェース（ＳＷＷＡＮ）(5025)に接続され、他のＬＡＮポート１，２，４(505, 506, 508)はレイヤ２スイッチ(502)の対応するＬＡＮインターフェース（ＳＷＬＡＮ１，２，４）(5021, 5022, 5024)に接続される。また、ＷＡＮ経路制御部(504)の経路制御スイッチ(5041)にてＷＡＮポート(509)の接続先はＷＡＮ迂回ポート(510)に接続される。
【００４４】
自装置が子機でＬＡＮポート４(508)の接続先が親機である場合（パターン４）、通信経路制御部(501)より制御信号を発信し、ＬＡＮ経路制御部(503)の経路制御スイッチ(5034)にてＬＡＮポート４(508)の接続先がレイヤ２スイッチ(502)のＷＡＮインターフェース（ＳＷＷＡＮ）(5025)に接続され、他のＬＡＮポート１−３(505, 506, 507)はレイヤ２スイッチ(502)の対応するＬＡＮインターフェース（ＳＷＬＡＮ１−３（５０２１−５０２３）に接続される。また、ＷＡＮ経路制御部(504)の経路制御スイッチ(5041)にてＷＡＮポート(509)の接続先はＷＡＮ迂回ポート(510)に接続される。
上記の様にＬＡＮ経路制御部(503)とＷＡＮ経路制御部(504)でゲートウェイ内部の通信経路を制御することで、複数の全てのゲートウェイが親機になることも子機になることもできる。
【００４５】
実際のＬＡＮ経路制御部(502)，ＷＡＮ経路制御部(503)の経路制御スイッチ(5031-5034, 5041)の動きは、図６のテーブルに示す５パターンのみとなるため、ＬＡＮ同士の信号の衝突またはＬＡＮとＷＡＮの信号の衝突が起こることはない。
【００４６】
本発明では、機器寿命の平均化の指標として、各ゲートウェイの総通話量を用いる。各ゲートウェイのテーブル化した総通話量を定期的に比較し、最も少ない総通話量を処理しているゲートウェイに親機の機能を移管することで、機器寿命の平均化をはかっている。
【００４７】
図７は、親機の機能を移管するための判断基準となる総通話量情報の更新シーケンスを示している。図７では、親機のゲートウェイが１台と子機のゲートウェイが２台の計３台を用いた構成例の場合を示したものである。
【００４８】
親機であるゲートウェイは、子機のひとつである子機１のゲートウェイに対し、総通話量の報告依頼(71)を通知する。依頼を受けた子機１のゲートウェイは、その応答として親機のゲートウェイに対し、自装置がこれまで処理した総通話量を報告する(72)。同様に、親機であるゲートウェイは、子機２のゲートウェイに対しても、総通話量の報告依頼(73)を実施する。依頼を受けた子機２のゲートウェイは、その応答として親機のゲートウェイに対し、自装置がこれまで処理した総通話量を報告する(74)。このようにして親機であるゲートウェイは、子機であるゲートウェイの各々の総通話量を定期的に収集することで、各ゲートウェイ（子機１，２）がこれまでに処理した総通話量を更新することができる(75)。なお、親機のゲートウェイは、自装置がこれまで処理した総通話量をテーブル更新する(75)。
【００４９】
しかしながら、ここまでの状態では、親機のゲートウェイが収集した全てのゲートウェイの各総通話量を子機は知ることはできない。そのため、親機の突発的な障害にて総通話量テーブルを消失してしまうと、子機は他のゲートウェイの総通話量を知ることができないため、総通話量の比較が行えず、親機への機能移管が不可となる。これを避けるため、親機の収集した自装置を含む各ゲートウェイの総通話量は、子機にも提供しておく必要がある。
【００５０】
そのため、親機のゲートウェイは、集計した各ゲートウェイの総通話量を、各々の子機のゲートウェイに対し通知する。子機１のゲートウェイは、親機のゲートウェイから各ゲートウェイの総通話量の集計を通知される(76)ことにより、親機がもつ総通話量テーブルと同様の総通話量テーブルを取得できる(77)。同様に、子機２のゲートウェイは、親機のゲートウェイから各ゲートウェイの総通話量の集計を通知される(78)ことにより、親機がもつ総通話量テーブルと同様の総通話量テーブルを取得できる(79)。
【００５１】
図８は、親機のゲートウェイのＬＡＮ障害時における親機の機能を他の何れかの子機のゲートウェイに移管するシーケンスである。図８では、親機のゲートウェイが１台と子機のゲートウェイが２台の計３台を用いた構成例の場合を示したものである。
【００５２】
親機であるゲートウェイにてＬＡＮ障害が発生(81)すると、リンク断が発生し(82)、子機１のゲートウェイは親機のゲートウェイとのリンク断を検出する(83)。同様に、子機２のゲートウェイもリンク断が発生(84)することで、親機のゲートウェイとのリンク断を検出する(85)。このように、子機1と子機２の各ゲートウェイは親機のゲートウェイとのリンクが途切れたことで、親機に障害が発生したとことを検知し、自装置にて子機から親機に機能を移管するための判定を実施する。子機１のゲートウェイは親機の機能移管判定(86)を、子機２のゲートウェイも同様に親機の機能移管判定(87)を実施する。
【００５３】
ここでの親機の機能移管判定では、子機各々が図７の動作にて定期的に更新された総通話量テーブルを参照し、総通話量が最も少ない子機のゲートウェイだけが、親機への切り替えを実施する。ここで参照する総通話量テーブルは、ＬＡＮ障害が発生する前に親機が通知した最新の総通話量である。総通話量テーブル参照の結果、子機１のゲートウェイが最も少ない総通話量であった場合、この子機１であったゲートウェイが新たに親機となり、親機であったゲートウェイが子機となる。親機であったゲートウェイは、自装置のＷＡＮポートの内部接続先及び新たに親機になる子機１のゲートウェイと接続されている自装置のＬＡＮポートの内部接続先を、夫々子機の設定に変更（ＳＷＷＡＮ→ＷＡＮ迂回ポート，ＳＷＬＡＮ→ＳＷＷＡＮ）する(88)。新たに親機になる子機１のゲートウェイは、自装置のＷＡＮポートの内部接続先及びと親機であったゲートウェイと接続されている自装置のＬＡＮポートの内部接続先を、夫々親機の設定に変更（ＷＡＮ迂回ポート→ＳＷＷＡＮ，ＳＷＷＡＮ→ＳＷＬＡＮ）する(89)。なお、子機を継続する子機２のゲートウェイでは、自装置のＷＡＮポートの内部接続先は変更せず、親機であったゲートウェイと接続されている自装置のＬＡＮポートと新たに親機になる子機１のゲートウェイと接続されている自装置のＬＡＮポートの各内部接続先を、夫々変更す（ＳＷＷＡＮ→ＳＷＬＡＮ，ＳＷＬＡＮ→ＳＷＷＡＮ）る(810)。
【００５４】
もし、子機１と子機２がどちらとも同じ総通話量であった場合、どちらの子機もＷＡＮ経路制御部及びＬＡＮ経路制御部による親機の設定に変更することを試みる。その際、ＩＰネットワーク（網）とリンク可能である装置はＩＰネットワーク（網）に近い側に設置されているゲートウェイのみであり、ＩＰネットワーク（網）とリンクできなかったゲートウェイは、総通話量が同じであったもう一つのゲートウェイを親機とし、自装置は子機としての切り替えを行なう。
【００５５】
図９は、各ゲートウェイ装置の総通話量に応じて親機の機能を移管するシーケンスの図である。図９では、親機のゲートウェイが１台と子機のゲートウェイが２台の計３台を用いた構成例の場合を示したものである。
【００５６】
親機の機能を移管する条件が成立(91)すると、親機であるゲートウェイは、親機に移管する子機１のゲートウェイに対し、親機の機能移管の依頼(92)を実施する。依頼を受けた子機１であるゲートウェイは、親機の機能移管が可能である旨を親機であるゲートウェイに対し通知(93)する。さらに、親機であるゲートウェイは、子機のまま継続する子機２のゲートウェイに対しても、子機継続依頼を通知(94)する。子機２のゲートウェイは、子機継続を受理した旨を親機であるゲートウェイに通知(95)する。親機の機能移管受理(93)と子継続受理(95)を受信することで、親機であるゲートウェイは、親機の機能移管の準備が整ったと判断できる。親機であるゲートウェイは、子機１のゲートウェイに対し、親機への機能移管を指示(96)する。子機２のゲートウェイに対しては、子機１のゲートウェイに親機の機能移管の指示を通知した旨を連絡(97)する。これにより、親機から子機となるゲートウェイは、自装置のＷＡＮポートの内部接続先及び新たに親機になる子機１のゲートウェイと接続されている自装置のＬＡＮポートの内部接続先を、夫々子機の設定に変更（ＳＷＷＡＮ→ＷＡＮ迂回ポート，ＳＷＬＡＮ→ＳＷＷＡＮ）する(98)。子機から親機になる子機１のゲートウェイは、自装置のＷＡＮポートの内部接続先及びと親機であったゲートウェイと接続されている自装置のＬＡＮポートの内部接続先を、夫々親機の設定に変更（ＷＡＮ迂回ポート→ＳＷＷＡＮ，ＳＷＷＡＮ→ＳＷＬＡＮ）する(99)。また、子機を継続する子機２のゲートウェイでは、自装置のＷＡＮポートの内部接続先は変更せず、親機であったゲートウェイと接続されている自装置のＬＡＮポートと新たに親機になる子機１のゲートウェイと接続されている自装置のＬＡＮポートの各内部接続先を、夫々変更す（ＳＷＷＡＮ→ＳＷＬＡＮ，ＳＷＬＡＮ→ＳＷＷＡＮ）る(910)。
【００５７】
この機能での親機の機能移管判定は、親機のゲートウェイが図７の動作にて得た各ゲートウェイの総通話量テーブルをもとに、親機の総通話量が子機の総通話量よりも多くかつその総通話量差が所定値を超えている子機のうち総通話量が最も少ない子機を親機の機能移管先として判定する。例えば、上記所定値を１０００通話と設定した場合で、親機のゲートウェイの総通話量が２０００通話，子機１のゲートウェイの総通話量が８００通話，子機２のゲートウェイの総通話量が９００通話であった場合、親機−子機１間の総通話量差は１２００通話，親機−子機１間の総通話量差は１１００通話となり何れも設定した所定値の１０００通話を超えている。このように所定値を超えている子機が複数存在した場合にはその内の総通話量が最も少ない子機を親機の機能移管先とする。上記の例では８００通話の方が少ないので子機１が親機の機能移管先となる。なお、所定値を超えている子機が１つのみであればその子機が親機の機能移管先となることは言うまでもない。もし、子機のゲートウェイがどちらとも同じ総通話量値であった場合、親機のゲートウェイに指定された子機のゲートウェイが親機の権限を得る。
【符号の説明】
【００５８】
１１，２１，３１  ＩＰネットワーク（網）
１２〜１６，２２〜２４，３２〜３４，４１  ゲートウェイ
１７  交換機
１８  電話機
Ｗ１〜Ｗ５，Ｌ１〜Ｌ１０，Ｗ２１〜Ｗ２３，Ｌ２１〜Ｌ２３，Ｗ３１〜Ｗ３３，Ｌ３１〜Ｌ３３  通信線
Ｖ１〜Ｖ５  音声通信線
２２１，２３１，２４１，３２１，３３１，３４１，４２５，５０９  ＷＡＮポート
２２２，２３２，２４２，３２２，３３２，３４２，４２６，５１０  ＷＡＮ迂回ポート
２２３，２３３，２４３，３２３，３３３，３４３，４２０，５０４  ＷＡＮ経路制御部
２２４，２３４，２４４，３２４，３３４，３４４，４１８，５０２  レイヤ２スイッチ
２２４１，２３４１，２４４１，３２４１，３３４１，３４４１，５０２５  ＷＡＮインターフェース（ＳＷＷＡＮ）
２２４２〜２２４５，２３４２〜２３４５，２４４２〜２４４５，３２４２〜３２４５，３３４２〜３３４５，３４４２〜３４４５，５０２１〜５０２４  ＬＡＮインターフェース（ＳＷＬＡＮ１−４）
２２５，２３５，２４５，３２５，３３５，３４５，４１９，５０３  ＬＡＮ経路制御部
２２６〜２２９，２３６〜２３９，２４６〜２４９，３２６〜３２９，３３６〜３３９，３４６〜３４９，４２１〜４２４，５０５〜５０８  ＬＡＮポート１−４
４１１  電源スイッチ
４１２  電源制御回路
４１３，５０１  通信経路制御部
４１４  中央処理装置
４１５  記憶部
４１６  音声／ＩＰ変換部
４１７  音声通信用ポート
５０３１〜５０３４，５０４１  経路制御スイッチ
【図１】
2015082665.tif 000003
【図２】
2015082665.tif 000004
【図３】
2015082665.tif 000005
【図４】
2015082665.tif 000006
【図５】
2015082665.tif 000007
【図６】
2015082665.tif 000008
【図７】
2015082665.tif 000009
【図８】
2015082665.tif 000010
【図９】
2015082665.tif 000011